(57)【要約】【課題】  導光部材等の部品点数を増大させることなく、シフトインジケータのインジケータ表示部に所望のバックグラウンド照明を行えるメータ内インジケータ照明装置を提供する。【解決手段】  インジケータ用ＬＥＤ制御回路４５の複数の表示部照明用ＬＥＤ４４ａ〜４４ｆには、インジケータ切換回路部４８が接続されている。このため、シフト装置によって選択されている１つのシフトポジションに対応する何れか１つの表示部照明用ＬＥＤ４４ａ〜４４ｆを点灯させるように構成されている。  更に、複数の表示部照明用ＬＥＤ４４ａ〜４４ｆには、減光発光回路部５７が接続されている。そして、常に、全ての複数の表示部照明用ＬＥＤ４４ａ〜４４ｆが略同一光量で、かつ、シフト装置によって選択されているシフトポジションに対応する１つの表示部照明用ＬＥＤ４４ａ〜４４ｆの発光光量と比較して、各光量調整用抵抗６２ａ〜６２ｆの電圧降下によって、弱光量で発光させられる。【選択図】図１
2006347228.tif 000002
【特許請求の範囲】
【請求項１】
車両のコンビネーションメータ内に設けられたメータ装置のメータ表示面に隣接配置されて、複数のポジションランプの発光によって透過照明されるシフトインジケータ表示装置の表示面が設けられてなるメータ装置であって、
前記複数のポジションランプのうち、シフト装置によって選択されている１つのシフトポジションに対応する何れか１つのポジションランプを発光させる選択照明回路に、他のポジションランプを略同一光量で発光させるバックグラウンド照明回路部を接続することによって、シフト装置によって選択されている前記１つのポジションランプを、異なる光量で点灯させることを特徴とするメータ内インジケータ照明装置。
【請求項２】
前記バックグラウンド照明回路部によって点灯されるポジションランプの表示面側から視認される光量と、前記メータ装置のメータ表示面の表側から視認されるメータ装置内光源の光量とを略同一光量とすることを特徴とする請求項１記載のメータ内インジケータ照明装置。
【請求項３】
前記バックグラウンド照明回路部は、前記点灯されるポジションランプの光量を、抵抗を用いて減光させるアナログ電子回路減光手段を有することを特徴とする請求項１又は２記載のメータ内インジケータ照明装置。
【請求項４】
前記バックグラウンド照明回路部は、前記点灯されるポジションランプの光量を、トランジスタ回路を用いて減光させるデジタル制御減光手段を有してなることを特徴とする請求項１又は２記載のメータ内インジケータ照明装置。
【請求項５】
前記バックグラウンド照明回路部では、イルミネーション点灯時にシフト装置によって選択されている１つのシフトポジションに対応する前記シフトインジケータ表示装置の表示面の明るさが、メータ装置のイルミネーション非点灯時にシフト装置によって選択されていないシフトポジションに対応する前記シフトインジケータ表示装置の表示面の明るさと略同一光量となるように設定することを特徴とする請求項１乃至４記載のメータ内インジケータ照明装置。
【発明の詳細な説明】
【技術分野】
【０００１】
本発明は、車両の情報を表示するインジケータの照明装置、特に、メータ内に設けられたシフト装置のシフトポジションを示すためのインジケータ表示装置を照明するのに好適なメータ内インジケータ照明装置に関するものである。
【背景技術】
【０００２】
図９乃至図１０に、従来のコンビネーションメータに設けられた、シフトインジケータ表示装置の例を示している（例えば、特許文献１等参照）。
【０００３】
まず、この従来のシフトインジケータ表示装置の構成について説明する。
【０００４】
以下の具体例では、７つのシフトポジションＰ、Ｒ、Ｎ、Ｄ、３、２、Ｌの内、シフト装置によって選択されているシフトポジションが、Ｄのシフトポジションであるとして説明するが、他のＰ、Ｒ、Ｎ、３、Ｌのシフトポジションの内何れか１つがシフト装置によって選択されている場合も略同様に説明される。
【０００５】
図９に示すように、このコンビネーションメータ１は、メータ装置２と、このメータ装置２に隣接するシフトインジケータ表示装置５等を有して構成され、このコンビネーションメータ１の前面は、文字盤３で覆われている。
【０００６】
この文字盤３は、前記メータ装置２の図示省略の指針部が指し示すメータ表示面６と、このメータ表示面６に隣接するインジケータ表示面７等を有して構成され、このメータ表示面６は、複数のメータ表示面照明用光源４…によって背面から透過照明される。
【０００７】
そして、前記インジケータ表示面７は、前記メータ表示面６と隣接する側に、７つのシフトポジションに対応してＰ、Ｒ、Ｎ、Ｄ、３、２、Ｌの文字が印刷された複数の表示部１２ａ〜１２ｇが設けられたインジケータ表示部１２等を有して構成されている。
【０００８】
また、前記インジケータ表示面７は、前記インジケータ表示部１２の複数の各表示部１２ａ〜１２ｇに近接して、複数の円形の各表示部１３ａ〜１３ｇが設けられたポジション表示部１３等とを有して構成されている。
【０００９】
更に、前記ポジション表示部１３の複数の表示部１３ａ〜１３ｇは、シフト装置によって選択されている１つのシフトポジションＤに対応して、前記シフトインジケータ表示装置５が有する複数のインジケータ表示面照明用ＬＥＤの内何れかの１つのＬＥＤ、例えば、インジケータ表示面照明用ＬＥＤ２１ｄが発光することにより、裏面から透過照明される。このため、乗員は、シフト装置によって選択されている１つのシフトポジションを視認することができる。
【００１０】
ただし、図１０に示されているのは、複数のインジケータ表示面照明用ＬＥＤの内、シフト装置によって選択されている１つのシフトポジションＤに対応するインジケータ表示面照明用ＬＥＤ２１ｄだけである。
【００１１】
また、図１０に示すように、前記コンビネーションメータ１が有するハウジング８は、シフト装置によって選択されている１つのシフトポジションＤに対応して図示省略の指針部を持ったステッピングモータ等から構成される図示省略のムーブメントと、前記シフトインジケータ表示装置５のインジケータ光源用基板９等とを収納するように一体形成されている。
【００１２】
そして、前記メータ表示面照明用光源４…は、前記メータ表示面６の裏面に対向して、このハウジング８の下端壁１５に設けられた穴から上向きに突出するように固着されている。
【００１３】
また、前記ハウジング８は、前記メータ装置２の図示省略のムーブメント等が納められた凹部１４と、この凹部１４と隣接して、前記シフトインジケータ表示装置５が有するインジケータ光源用基板９等が収納される下方開放の凹部１６と、前記複数のインジケータ表示面照明用ＬＥＤの各々が挿入される複数の上方開放の凹部等とを有して構成されている。
【００１４】
ただし、図１０に示されているのは、複数の上方開放の凹部の内、シフト装置によって選択されている１つのシフトポジションＤに対応する上方開放の凹部１７ｄだけである。
【００１５】
更に、前記複数の各上方開放の凹部には、この複数の上方開放の凹部の下端壁に、複数の開口部が各々設けられている。
【００１６】
ただし、図１０に示されているのは、複数の開口部の内、シフト装置によって選択されている１つのシフトポジションＤに対応する開口部２０ｄだけである。
【００１７】
そして、前記複数の各上方開放の凹部は、前記ポジション表示部１３の対応する各表示部１３ａ〜１３ｇの裏面を覆うように上方に向かうにつれて拡径して、前記上方開放の凹部の側壁１９の上端縁が、前記ポジション表示部１３等が設けられた文字盤３の裏面に当接されている。
【００１８】
また、前記インジケータ光源用基板９には、前記複数のインジケータ表示面照明用ＬＥＤが等間隔に上向きに固着されて、前記複数の上方開放の凹部の各開口部から上向きに挿入されて、このインジケータ光源用基板９の上面が前記下方開放の凹部１６の上端壁に当接されている。
【００１９】
そして、前記文字盤３と、前記上方開口の凹部に設けられた遮光壁１８の上端縁との間には間隙１０が設けられて、この間隙１０には、前記シフトインジケータ表示装置５が有する複合導光部材１１が挿入されている。
【００２０】
この際、前記複合導光部材１１に設けられた空隙２５が前記遮光壁１８の上端縁側になり、前記複合導光部材１１に設けられた傾斜部２２の上面が前記インジケータ表示部１２の裏面に当接され、前記複合導光部材１１に設けられた透過部２３の上面が前記ポジション表示部１３の裏面に当接されるように、この複合導光部材１１は前記インジケータ表示面７の裏面に当接されている。
【００２１】
また、前記メータ表示面６が前記メータ表示面照明用光源４…によって背面から透過照明されている際は、このメータ表示面照明用光源４…によって発せられた光が、前記空隙２５等を通過して、前記複合導光部材１１の傾斜部２２の下面等に入光し、この複合導光部材１１の傾斜部２２によって上向きに導光されて、前記インジケータ表示部１２を裏面から透過照明するように構成されている。
【００２２】
この際、前記複合導光部材１１の傾斜部２２の下面等に入光した光の内、一部の光は、前記メータ装置２から離れる向きに進むに従い、前記複合導光部材１１の傾斜部２２の厚さが薄くなることよって、絞り込まれる。
【００２３】
このため、前記複合導光部材１１の傾斜部２２と透過部２３の間に設けられたスリット部２４によって、前記傾斜部２２で絞り込まれた光は、このスリット部２４によって遮られ、前記透過部２３には入光しないため、この光によって、前記ポジション表示部１３は透過照明されないように構成されている。
【００２４】
また、前記メータ表示面照明用光源４…によって発せられた光は、前記ハウジング８に設けられた遮光壁１８によって遮られ、前記複合導光部材１１の透過部２３には入光しないため、この光によって、前記ポジション表示部１３は透過照明されない。
【００２５】
従って、前記メータ表示面照明用光源４…が発する光は、前記ポジション表示部１３には達しないように構成されている。
【００２６】
また、例えば、シフト装置によって選択されている１つのシフトポジションがＤの場合には、このシフトポジションＤに対応して点灯する前記インジケータ表示面照明用ＬＥＤ２１ｄによって発せられる光は、前記複数の上方開放の凹部の内、シフトポジションＤに対応する上方開放の凹部１７ｄの遮光壁１８と側壁１９等とに反射されて、前記透過部２３の前記表示部１３ｄに対応する部分に入光される。
【００２７】
更に、シフトポジションＤに対応する表示部１２ｄは、前記透過部２３の前記表示部１３ｄに対応する部分に入光して上方に導光された光によって、裏面から透過照明される。
【００２８】
そして、この際、シフトポジションＤに対応して点灯される前記インジケータ表示面照明用ＬＥＤ２１ｄによって発する光の内、一部の光は、前記複合導光部材１１の空隙２５を通過して、前記傾斜部２２のシフトポジションＤに対応する部分に入光される。
【００２９】
また、前記メータ表示面照明用光源４…から発する光によって、前記インジケータ表示部１２を裏面から透過照明する光に加えて、前記傾斜部２２のシフトポジションＤに対応する部分に入光する光が、上方に導光されて前記インジケータ表示部１２の表示部１２ｄを裏面から透過照明するので、シフトポジションＤに対応する前記表示部１２ｄの表面から視認される光量は増光される。
【００３０】
次に、この従来の前記コンビネーションメータ１のシフトインジケータ表示装置５の作用について説明する。
【００３１】
前記メータ表示面照明用光源４…が点灯している際は、この光の内、一部の光が、前記複合導光部材１１の傾斜部２２を介して、前記インジケータ表示部１２に導光されて、このインジケータ表示部１２を透過照明するため、前記全ての表示部１２ａ〜１２ｇは同時に発光する。
【００３２】
この際、この光が、前記メータ表示面照明用光源４…の発する光の内、一部の光であるために、前記全ての表示部１２ａ〜１２ｇは弱光量で発光する。
【００３３】
更に、シフトポジションＤに対応して点灯される前記インジケータ表示面照明用ＬＥＤ２１ｄが発する光の内、一部の光は、前記透過部２３のシフトポジションＤに対応する部分に入光し、この透過部２３を介して導光されて、前記表示部１３ｄを透過照明する。
【００３４】
このため、この表示部１３ｄは発光する。
【００３５】
また、更に、前記インジケータ表示面照明用ＬＥＤ２１ｄが発する光の内一部は、前記複合導光部材１１の空隙２５から漏光して、前記傾斜部２２のシフトポジションＤに対応する部分に入光する。
【００３６】
従って、前記メータ表示面照射用光源４…によって照明される光に加えて、前記傾斜部２２のシフトポジションＤに対応する部分に入光する光が加わるために、シフトポジションＤに対応する前記表示部１２ｄを裏面から透過照明する光が増光するため、前記表示部１２ｄは増光して発光する。
【００３７】
従って、乗員は、シフト装置によって選択されたシフトポジションＤを視認できる。
【特許文献１】特開平９−８６２２６号公報（段落００１５乃至００２９、図１乃至図５）
【発明の開示】
【発明が解決しようとする課題】
【００３８】
しかしながら、従来のコンビネーションメータ１では、前記メータ表示面照明用光源４及び前記複数のインジケータ表示面照明用ＬＥＤから発する光をインジケータ表示面７に導光するために、複合導光部材１１を必要とするので、部品点数が増大して、製造コストの上昇を抑制することが困難であった。
【００３９】
また、この複合導光部材１１には、前記傾斜部２２及び前記スリット部２４を施す加工を必要とするために、加工コストが増大してしまう。
【００４０】
そして、従来のコンビネーションメータ１では、メータ表示面照明用ＬＥＤ光源４をメータ表示面６とインジケータ表示面７とで共用する構造であるため、メータ表示面照明用光源４とシフトインジケータ表示装置５及びメータ装置２の配置が、隣接位置に制限される。更に、このため、デザイン上の自由度が減ってしまうといった問題があった。
【００４１】
そこで、この発明では、導光部材等の部品点数を増大させることなく、シフトインジケータ表示装置のインジケータ表示部に所望のバックグラウンド照明を行えるメータ内インジケータ照明装置を提供することを課題としている。
【課題を解決するための手段】
【００４２】
上記目的を達成するために、請求項１に記載された発明は、車両のコンビネーションメータ内に設けられたメータ装置のメータ表示面に隣接配置されて、複数のポジションランプの発光によって透過照明されるシフトインジケータ表示装置の表示面が設けられてなるメータ装置であって、前記複数のポジションランプのうち、シフト装置によって選択されている１つのシフトポジションに対応する何れか１つのポジションランプを発光させる選択照明回路に、他のポジションランプを略同一光量で発光させるバックグラウンド照明回路部を接続することによって、シフト装置によって選択されている前記１つのポジションランプを、異なる光量で点灯させるメータ内インジケータ照明装置を特徴としている。
【００４３】
そして、請求項２に記載されたものは、前記バックグラウンド照明回路部によって点灯されるポジションランプの表示面側から視認される光量と、前記メータ装置のメータ表示面の表側から視認されるメータ装置内光源の光量とを略同一光量とする請求項１記載のメータ内インジケータ照明装置を特徴としている。
【００４４】
また、請求項３に記載されたものは、前記バックグラウンド照明回路部は、前記点灯されるポジションランプの光量を、抵抗を用いて減光させるアナログ電子回路減光手段を有する請求項１又は２記載のメータ内インジケータ照明装置を特徴としている。
【００４５】
更に、請求項４に記載されたものは、前記バックグラウンド照明回路部は、前記点灯されるポジションランプの光量を、トランジスタ回路を用いて減光させるデジタル制御減光手段を有してなる請求項１又は２記載のメータ内インジケータ照明装置を特徴としている。
【００４６】
そして、請求項５に記載されたものは、前記バックグラウンド照明回路部では、イルミネーション点灯時にシフト装置によって選択されている１つのシフトポジションに対応する前記シフトインジケータ表示装置の表示面の明るさが、メータ装置のイルミネーション非点灯時にシフト装置によって選択されていないシフトポジションに対応する前記シフトインジケータ表示装置の表示面の明るさと略同一光量となるように設定する請求項１乃至４記載のメータ内インジケータ照明装置を特徴としている。
【発明の効果】
【００４７】
このように構成された本願発明の請求項１記載のものは、バックグラウンド照明回路部により、ポジションランプが略同一光量で点灯して、インジケータ表示部のバックグラウンド照明になる。
【００４８】
このため、メータ装置の光源等から、従来のように導光部材等を用いて導光しなくても、シフトインジケータ表示装置の表示面を裏面から常時透過照明することができる。
【００４９】
この際、車両のシフト装置によって選択されている、何れか１つのシフトポジションに対応するポジションランプを点灯させる選択照明回路により、このポジションランプがバックグラウンド照明と異なる光量で発光する。
【００５０】
このため、シフト装置によって選択されているシフトポジションをシフトインジケータ表示装置のポジションランプの異なる光量の発光によって、視認することができる。
【００５１】
このため、従来のような導光部材が不要となり、部品点数を削減することができる。
【００５２】
また、請求項２に記載されたものは、前記バックグラウンド照明回路部によって点灯されるポジションランプの表示面側から視認される光量が、前記メータ装置のメータ表示面の表側から視認されるメータ装置内光源の光量と略同一になるように照明される。
【００５３】
このため、メータ装置のメータ表示面と、シフトインジケータ表示装置の表示面とを隣設配置しても、光量を近似させて違和感なく照明させることができる。
【００５４】
従って、メータ装置のメータ表示面内に、シフトインジケータ表示装置の表示面を設ける等、メータ装置のレイアウトの自由度を向上させることが出来る。
【００５５】
更に、請求項３に記載されたものは、前記バックグラウンド照明回路部の抵抗を用いたアナログ電子回路減光手段によって、前記ポジションランプの表示面側から視認される光量が減光される。
【００５６】
このため、点灯されるポジションランプの表示面側から視認される光量の調整が、抵抗の抵抗値の調整によって容易に実現できる。
【００５７】
そして、請求項４に記載されたものは、前記バックグラウンド照明回路部のトランジスタ回路を用いて減光するデジタル制御減光手段によって、前記ポジションランプの表示面側から視認される光量が減光される。
【００５８】
このため、点灯されるポジションランプの表示面側から視認される光量の調整が、電子制御、特にＣＰＵ制御によるデューティ制御等によって容易に実現できる。
【００５９】
また、請求項５に記載されたものは、前記バックグラウンド照明回路部によって、イルミネーション点灯時にシフト装置によって選択されている１つのシフトポジションに対応する前記シフトインジケータ表示装置の表示面の明るさを得る回路部分と、メータ装置のイルミネーション非点灯時にシフト装置によって選択されていないシフトポジションに対応する前記シフトインジケータ表示装置の表示面の明るさを得る回路部分とを同一回路で構成出来る。
【００６０】
このため、共通の回路部分を、複数の回路を用いる事無く構成出来るため、回路構成を簡素化出来る。
【００６１】
例えば、昼間に、点灯されるポジションランプの表示面側から視認される光量を２段階に設定すると共に、夜間に必要とされるポジションランプの表示面側から視認される光量を２段階に設定しても、中間の光量を共通とすることにより、３段階の光量設定で、車外の外光量に適した明るさを得ることができる。
【発明を実施するための最良の形態】
【００６２】
次に、図面に基づいて、この発明を実施するための最良の実施の形態のメータ内インジケータ照明装置について説明する。
【００６３】
図１乃至図３は、この発明の実施の形態のメータ内インジケータ照明装置等を示すものである。
【００６４】
まず、このメータ内インジケータ照明装置等の構成について説明する。
【００６５】
図２に示すように、コンビネーションメータ３１は、メータ装置３３及び、メータ内インジケータ照明装置のシフトインジケータ表示装置３６等を有して構成され、このメータ装置３３は、指針部３８を駆動するステッピングモータ等を用いた図示省略のムーブメント等とを有して構成されている。
【００６６】
そして、このメータ装置３３の前面を覆う文字盤３２は、この文字盤３２の一部としてのメータ表示面３７を有し、このメータ表示面３７には、前記指針部３８の状態が視認可能なアナログ表示部４６と、シフト装置の選択されているシフトポジションを表示するための表示面としてのインジケータ表示部４７等とが、このメータ表示面３７内に隣接させて配置されている。
【００６７】
また、前記アナログ表示部４６は、裏面からメータ装置内光源としてのＬＥＤ４３によって透過照明されるように構成されている。
【００６８】
更に、前記インジケータ表示部４７には、６つのシフトポジションに対応してＰ、Ｒ、Ｎ、Ｄ、３、１の文字が印刷された複数の表示部４７ａ〜４７ｆが設けられている。
【００６９】
この複数の各表示部４７ａ〜４７ｆは、図１に示されるインジケータ発光部４４のポジションランプとしての各表示部照明用ＬＥＤ４４ａ〜４４ｆによって、裏面から透過照明されるように構成されている。
【００７０】
そして、６つのシフトポジションの内のシフト装置によって選択されている１つのシフトポジションを示すために、このシフトポジションに対応する前記表示部照明用ＬＥＤ４４ａ〜４４ｆの内１つが発光することによって、このシフトポジションに対応する前記複数の表示部４７ａ〜４７ｆの内の１つが裏面から透過照明されるように構成されている。
【００７１】
また、前記インジケータ発光部４４の複数の表示部照明用ＬＥＤ４４ａ〜４４ｆは、図３に示されるように、前記複数の表示部４７ａ〜４７ｆが裏面側から透過照明されるように一定間隔に並べられ、前記ＬＥＤ４３と共に基板３５の上面に固着されている。
【００７２】
更に、前記コンビネーションメータ３１に設けられたハウジング３４は、前記メータ装置３３の図示省略のムーブメントと、前記基板３５等とが収納されるように一体形成されている。
【００７３】
そして、前記ハウジング３４は、前記複数の表示部４７ａ〜４７ｆに対応して裏面から透過照明するのに適した位置に、一定間隔に設けられた複数の筒状部４０ａ…と、この複数の筒状部４０ａ…と隣接する図示省略のムーブメントを納めるムーブメント収納凹部４０ｂ等とを有して構成されている。
【００７４】
また、前記筒状部４０ａ…の側壁の上端縁４１は、前記メータ表示面３７の前記各表示部４７ａ〜４７ｆの裏面側から、当接されている。
【００７５】
更に、基板３５の上面が、前記ハウジング３４の下端縁４２に下方から当接されて、前記複数の表示部照明用ＬＥＤ４４ａ〜４４ｆが、前記筒状部４０ａ…の内部に、上方に向かって挿入されている。
【００７６】
このため、前記インジケータ発光部４４の各表示部照明用ＬＥＤ４４ａ〜４４ｆを個別に点灯させると、各照光は独立して前記各表示部４７ａ〜４７ｆを裏面側から透過照明するように構成されている。
【００７７】
そして、図１に示されるインジケータ用ＬＥＤ制御回路４５は、前記インジケータ発光部４４の各表示部照明用ＬＥＤ４４ａ〜４４ｆを有するＬＥＤ点灯回路部５０等が設けられて構成されている。
【実施例１】
【００７８】
次に、実施例１の前記インジケータ用ＬＥＤ制御回路４５の構成を図１と図４及び図５に基づいて説明する。
【００７９】
また、以下の具体例では、シフト装置によって選択されているシフトポジションが、Ｎのシフトポジションであるとして説明するが、他のＰ、Ｒ、Ｄ、３、１のシフトポジションの内何れか１つがシフト装置によって選択されている場合も略同様に説明される。
【００８０】
まず、この実施例１で用いる電圧値を定義する。
【００８１】
この実施例１では、説明の便宜上、前記インジケータ用ＬＥＤ制御回路４５の図示省略の電源の電圧をＶとし、グランド５４の電位を０とする。
【００８２】
また、電位Ｖｉｌは、図１に示されるアナログ電子回路減光手段としての光量調整回路部５８が有するダイオード６６のアノードの電位より常に高く、Ｖ以下の電位とする。例えば、この実施例１では、Ｖｉｌ＝Ｖとする。
【００８３】
次に、図１に示されるＩＬＬｏｒＩＧＮスイッチ部５１と、電源供給端子５３と、ＩＬＬ制御部５２とについて説明する。
【００８４】
前記ＩＬＬｏｒＩＧＮスイッチ部５１がＯＮの状態では、図１に示されるＩＬＬｏｒＩＧＮ制御用端子６４の電位がＶとなり、前記ＩＬＬｏｒＩＧＮスイッチ部５１がＯＦＦの状態では、前記ＩＬＬｏｒＩＧＮ制御用端子６４の電位が０になるように構成されている。
【００８５】
また、前記電源供給端子５３は、前記ＩＬＬｏｒＩＧＮスイッチ部５１がＯＮの状態又はＯＦＦの状態とに連動して電位が、Ｖ又は０になるように構成されている。
【００８６】
そして、前記ＩＬＬ制御部５２の出力に接続されるＩＬＬ制御用端子６７は、例えば、夜間において前記メータ装置３３のイルミネーションが点灯している際に電位がＶｉｌになり、例えば、昼間に前記メータ装置３３のイルミネーションが点灯していない際に電位が０になるように構成されている。
【００８７】
この実施例１のバックグラウンド照明回路部４９は、主に、図１に示されるアナログ電子回路減光手段としての減光発光回路部５７と、アナログ電子回路減光手段としての光量調整回路部５８等とを有して構成されている。
【００８８】
また、前記インジケータ用ＬＥＤ制御回路４５には、選択照明回路としてのインジケータ切換回路部４８と、ＬＥＤ点灯回路部５０と、前記バックグラウンド照明回路部４９等とが設けられて構成されている。
【００８９】
更に、前記インジケータ切換回路部４８と、前記ＬＥＤ点灯回路部５０と、前記バックグラウンド照明回路部４９のアナログ電子回路減光手段としての光量調整回路部５８等とが接続されて構成されている。
【００９０】
そして、前記インジケータ切換回路部４８と、前記ＬＥＤ点灯回路部５０とを接続する複数の線にアナログ電子回路減光手段としての減光発光回路部５７が接続されて構成されている。
【００９１】
また、図１に示されるように、前記ＬＥＤ点灯回路部５０には、インジケータ発光部４４のポジションランプとしての前記複数の表示部照明用ＬＥＤ４４ａ〜４４ｆと、光量調整用抵抗５９と、光量微調整用抵抗６０等とが設けられて構成されている。
【００９２】
ところで、シフトポジションのＲに対応する前記インジケータ表示部４７の表示部４７ｂと、他のシフトポジションＰ、Ｎ、Ｄ、３、１に対応する前記インジケータ表示部４７の表示部４７ａ、４７ｃ〜４７ｆとは、発光の際の発光色が異なる。
【００９３】
このため、前記インジケータ表示部４７の全ての表示部４７ａ〜４７ｆが同時に透過照明される際に、前面から視認される前記全ての表示部４７ａ〜４７ｆの光量が略同一光量となるように調整するために、シフトポジションのＲに対応する前記表示部照明用ＬＥＤ４４ｂと、前記光量微調整用抵抗６０とは、直列に接続されて構成されている。
【００９４】
この際に、前記光量微調整用抵抗６０の電圧降下によって、前記表示部照明用ＬＥＤ４４ｂの発光光量は減光されて、この抵抗値を設定することにより、全ての前記各表示部４７ａ〜４７ｆの表面から視認される光量が、略同一光量になるように構成されている。
【００９５】
また、図１に示されるように、前記インジケータ切換回路部４８には、６つのシフトポジションＰ、Ｒ、Ｎ、Ｄ、３、１の内、シフト装置によって選択されているシフトポジションに対応して切り替わるインジケータ切換スイッチ５５等が設けられて構成されている。
【００９６】
そして、前記複数のポジションランプのうち、シフト装置によって選択されている１つのシフトポジションに対応する何れか１つのポジションランプを発光させる選択照明回路としての前記インジケータ切換回路部４８は、シフト装置によって選択されている１つのシフトポジションに対応する何れか１つの前記表示部照明用ＬＥＤ４４ａ〜４４ｆに接続されるように構成されている。
【００９７】
更に、前記電源供給端子５３は、前記インジケータ切換スイッチ５５の可動接点５５ｉと接続され、この可動接点５５ｉは、シフト装置によって選択されているポジションに対応して接続される複数の切換接点５５ａ〜５５ｆの内、何れか１つと接続されている。
【００９８】
そして、前記複数の各切換接点５５ａ〜５５ｆは、図１に示される逆電流防止のために設けられた複数の各ダイオード５６ａ〜５６ｆを介して、前記複数の各表示部照明用ＬＥＤ４４ａ〜４４ｆと接続されている。
【００９９】
このため、前記電源供給端子５３から、シフト装置によって選択されている１つのシフトポジションに対応する何れか１つの前記表示部照明用ＬＥＤ４４ａ〜４４ｆに電流が導通されて、前記シフト装置によって選択されている１つのシフトポジションに対応する何れか１つの表示部照明用ＬＥＤ４４ａ〜４４ｆが点灯されるように構成されている。
【０１００】
そして、図１に示されるように、前記減光発光回路部５７には、光量調整用抵抗６２ａ〜６２ｆと、ダイオード６３ａ〜６３ｆ等とが設けられて構成されている。
【０１０１】
また、前記各光量調整用抵抗６２ａ〜６２ｆの一端の全ては、前記ＩＬＬｏｒＩＧＮ制御用端子６４を介して、前記ＩＬＬｏｒＩＧＮスイッチ部５１に接続され、前記各光量調整用抵抗６２ａ〜６２ｆの各他端は、図１に示される逆電流を防止するための各ダイオード６３ａ〜６３ｆに接続され、この各ダイオード６３ａ〜６３ｆの各々は、前記各表示部照明用ＬＥＤ４４ａ〜４４ｆとに接続されている。
【０１０２】
このため、前記ＩＬＬｏｒＩＧＮスイッチ部５１がＯＮの状態の際には、全ての前記各表示部照明用ＬＥＤ４４ａ〜４４ｆに電流が導通されて、この全ての前記各表示部照明用ＬＥＤ４４ａ〜４４ｆが発光するように構成されている。
【０１０３】
この際、前記各光量調整用抵抗６２ａ〜６２ｆに電流が導通されるため、この各光量調整用抵抗６２ａ〜６２ｆの各両端に電圧降下が生じて、この各光量調整用抵抗６２ａ〜６２ｆと直列に接続された全ての前記各表示部照明用ＬＥＤ４４ａ〜４４ｆの両端電圧が低くなるように構成されている。
【０１０４】
従って、この実施例１では、シフト装置によって選択されていない、他のポジションランプを略同一光量で発光させるバックグラウンド照明回路部の前記減光発光回路部５７によって、全ての前記各表示部照明用ＬＥＤ４４ａ〜４４ｆが減光されて同時に発光するように構成されている。
【０１０５】
このため、この実施例１では、シフト装置によって選択されている前記１つのポジションランプが、異なる光量で点灯させられるので、乗員によって、このシフト装置によって選択されているシフトポジションが視認されるように構成されている。
【０１０６】
更に、この実施例１では、前記バックグラウンド照明回路部は、前記点灯されるポジションランプの光量を、抵抗を用いて減光させるアナログ電子回路減光手段としての前記減光発光回路部５７等を有して構成されている。
【０１０７】
そして、前記バックグラウンド照明回路部４９の前記光量調整回路部５８には、ダイオード６６と光量調整用抵抗６５等とが設けられて構成されている。
【０１０８】
また、前記ダイオード６６のカソードは、前記ＩＬＬ制御用端子６７を介して、前記ＩＬＬ制御部５２の出力に接続され、前記ダイオード６６のアノードは、前記光量調整用抵抗５９と接続され、この光量調整用抵抗５９の他端は、光量微調整用抵抗６０を介して前記表示部照明用ＬＥＤ４４ｂと、前記各表示部照明用ＬＥＤ４４ａ、４４ｃ〜４４ｆの各々の一端の全てとに接続され、更に、前記ダイオード６６のアノードは、光量調整用抵抗６５を介して、グランド５４と接続されている。
【０１０９】
このため、前記ＩＬＬ制御部５２の出力の電位が、０又はＶｉｌになるのに対応して、前記光量調整回路部５８の光量調整用抵抗６５の両端間の電圧降下が、電圧０又は前記光量調整用抵抗６５の両端の電圧降下値に切り替わるように構成されている。
【０１１０】
更に、このため、前記ＩＬＬ制御部５２の出力の電位が、０又はＶｉｌに切り替わるのに対応して、前記光量調整回路部５８と直列に接続された全ての前記各表示部照明用ＬＥＤ４４ａ〜４４ｆの両端電圧が高電圧又は低電圧に切り替わるため、全ての前記表示部照明用ＬＥＤ４４ａ〜４４ｆの光量が同時に強光量又は弱光量に切り替わるように構成されている。
【０１１１】
従って、前記ＩＬＬ制御部５２の出力の電位がＶｉｌの際は、前記光量調整回路部５８によって、全ての前記表示部照明用ＬＥＤ４４ａ〜４４ｆが同時に減光されて発光するように構成されている。
【０１１２】
このため、この実施例１では、前記バックグラウンド照明回路部は、前記点灯されるポジションランプの光量を、抵抗を用いて減光させるアナログ電子回路減光手段としての前記光量調整回路部５８等を有して構成されている。
【０１１３】
ここで、前記ＩＬＬｏｒＩＧＮスイッチ部５１がＯＮの状態で、かつ、前記ＩＬＬ制御部５２の出力の電位が０又はＶｉｌの状態について場合分けして説明する。
【０１１４】
まず、例えば、昼間において前記メータ装置３３のイルミネーションが点灯していない場合に対応する前記ＩＬＬ制御部５２の出力の電位が０の状態について説明する。この際、前記ダイオード６６は、導通状態にある。
【０１１５】
ここで、６つのシフトポジションの内、何れか１つのシフトポジションが選択されているとする。例えば、この実施例１では、シフトポジションのＮが選択されているとして説明する。
【０１１６】
すなわち、前記インジケータ切換スイッチ５５の可動接点５５ｉは、シフトポジションのＮに対応している前記切換接点５５ｃに接続されているとする。
【０１１７】
この際、前記電源供給端子５３に印可された電位Ｖによって、電流が、この電源供給端子５３から、前記可動接点５５ｉと、前記切換接点５５ｃと、前記ダイオード５６ｃと、前記表示部照明用ＬＥＤ４４ｃと、抵抗値Ｒの前記光量調整用抵抗５９及び、前記ダイオード６６とを介して、電位０の前記ＩＬＬ制御用端子６７に導通される。
【０１１８】
この場合の前記表示部照明用ＬＥＤ４４ｃの発光光量は、抵抗値Ｒの前記光量調整用抵抗５９が生じる電圧降下によって、所望の発光光量に減光されて、設定される。
【０１１９】
この実施例１では、この場合のシフト装置によって選択されている１つのシフトポジションＮに対応する前記表示部照明用ＬＥＤ４４ｃによって透過照明される前記インジケータ表示部４７の表示部４７ｃの外部から視認される明るさを、「強」の明るさの状態と称することにする。
【０１２０】
この明るさは、抵抗値Ｒの電圧降下によって減光された明るさである。例えば、昼間において、「強」の明るさは、シフト装置によって選択されている１つのシフトポジションＮに対応する前記表示部４７ｃを視認する際に、所望の光量に設定される。
【０１２１】
ところで、電源が供給する電圧Ｖは一定であるから、前記表示部照明用ＬＥＤ４４ａ〜４４ｆに直列に接続される抵抗の抵抗値が大きくなるほど、抵抗による電圧降下が大きくなるので、前記表示部照明用ＬＥＤ４４ａ〜４４ｆの両端電圧が小さくなり、前記表示部照明用ＬＥＤ４４ａ〜４４ｆの発光光量は減光されるように構成されている。
【０１２２】
従って、前記の明るさ「強」は、抵抗値Ｒの電圧降下によって減光された明るさである。
【０１２３】
次に、例えば、６つのシフトポジションの内、シフト装置によって選択されていない他の５つのシフトポジションのＰ，Ｒ，Ｄ，３，１に対応する前記表示部照明用ＬＥＤ４４ａ、４４ｂ、４４ｄ〜４４ｆの回路について説明する。
【０１２４】
この場合、前記ＩＬＬｏｒＩＧＮ制御用端子６４に印可された電位Ｖによって、電流が、前記ＩＬＬｏｒＩＧＮ制御用端子６４から、抵抗値Ｒ１の複数の前記各光量調整用抵抗６２ａ、６２ｂ、６２ｄ〜６２ｆと、複数の前記各ダイオード６３ａ、６３ｂ、６３ｄ〜６３ｆと、前記各表示部照明用ＬＥＤ４４ａ、４４ｂ、４４ｄ〜４４ｆへと導通される。
【０１２５】
この内の１つの前記表示部照明用ＬＥＤ４４ｂは、抵抗値ｒの前記光量微調整用抵抗６０を介して、抵抗値Ｒの前記光量調整用抵抗５９に接続されて、他の前記各表示部照明用ＬＥＤ４４ａ、４４ｄ〜４４ｆは直接に、抵抗値Ｒの前記光量調整用抵抗５９に接続されて、前記ダイオード６６とを介して、前記ＩＬＬ制御部５２の出力と同一の電位０の前記ＩＬＬ制御用端子６７とに接続されて、導通される。
【０１２６】
この場合の前記表示部照明用ＬＥＤ４４ａ、４４ｄ〜４４ｆの発光光量は、抵抗値Ｒ１の前記光量調整用抵抗６２ａ、６２ｄ〜６２ｆが生じる電圧降下と、抵抗値Ｒの前記光量調整用抵抗５９が生じる電圧降下とによって減光されるように構成されている。
【０１２７】
また、前記表示部照明用ＬＥＤ４４ｂの発光光量は、抵抗値Ｒ１の前記光量調整用抵抗６２ｂが生じる電圧降下と、抵抗値ｒの前記光量微調整用抵抗６０が生じる電圧降下と、抵抗値Ｒの前記光量調整用抵抗５９が生じる電圧降下とによって減光されるように構成されている。
【０１２８】
この場合の前記表示部照明用ＬＥＤ４４ａ、４４ｂ、４４ｄ〜４４ｆの発光光量は、シフト装置によって選択されている前記表示部照明用ＬＥＤ４４ｃに比べて、抵抗値Ｒ１の前記光量調整用抵抗６２ａ、６２ｂ、６２ｄ〜６２ｆが生じる電圧降下に相当する分だけ更に減光されるように構成されている。
【０１２９】
ところで、前記表示部照明用ＬＥＤ４４ｂの発光光量については、抵抗値ｒの前記光量微調整用抵抗６０によって、他の複数の前記表示部照明用ＬＥＤ４４ａ、４４ｃ〜４４ｆの発光光量と、対応して透過照明される前記インジケータ表示部４７の複数の各表示部４７ａ〜４７ｆの前面から視認される光量が均一光量となるように設定してあるので、結局、この場合には、合成抵抗値Ｒ＋Ｒ１の抵抗の電圧降下に相当する減光量になる。
【０１３０】
この実施例１では、この場合のシフト装置によって選択されていないシフトポジションに対応する前記表示部照明用ＬＥＤ４４ａ、４４ｂ、４４ｄ〜４４ｆによって透過照明される前記インジケータ表示部４７の表示部４７ａ、４７ｂ、４７ｄ〜４７ｆの外部から視認される明るさを、「中ａ」の明るさの状態と称することにする。
【０１３１】
この明るさ「中ａ」は、前述したように、合成抵抗値Ｒ＋Ｒ１の電圧降下によって減光された明るさである。
【０１３２】
また、シフト装置によって選択されているシフトポジションに対応する前記シフトインジケータ表示装置３６のポジションランプの発光光量「強」の方が、シフト装置によって選択されていないシフトポジションに対応する前記シフトインジケータ表示装置３６のポジションランプの発光光量「中ａ」より明るいために、シフト装置によって選択されているシフトポジションが視認できる。
【０１３３】
更に、前記光量調整用抵抗５９の抵抗値Ｒを設定することにより、前記インジケータ表示部４７の「中ａ」の明るさを、例えば、昼間において、前記メータ装置３３のイルミネーションが点灯していないときの前記メータ表示面３７の明るさと略同一に設定できる。
【０１３４】
従って、この実施例１では、前記バックグラウンド照明回路部によって点灯されるポジションランプの表示面側から視認される光量と、前記メータ装置のメータ表示面の表側から視認されるメータ装置内光源の光量とを略同一光量とするように、前記光量調整用抵抗５９の抵抗値Ｒは設定されている。
【０１３５】
次に、例えば、夜間において、前記メータ装置３３のイルミネーションが点灯している場合に対応する前記ＩＬＬ制御部５２の出力の電位がＶｉｌの状態について説明する。この際、前記ダイオード６６は、非導通状態にある。
【０１３６】
この際、前記電源供給端子５３に印可された電位Ｖによって、電流が、この電源供給端子５３から、前記可動接点５５ｉと、前記切換接点５５ｃと、前記ダイオード５６ｃと、前記表示部照明用ＬＥＤ４４ｃと、抵抗値Ｒの前記光量調整用抵抗５９及び、抵抗値Ｒ２の前記光量調整用抵抗６５とを介して、前記電位０のグランド５４に導通される。
【０１３７】
この場合の前記表示部照明用ＬＥＤ４４ｃの発光光量は、抵抗値Ｒの前記光量調整用抵抗５９が生じる電圧降下と、抵抗値Ｒ２の前記光量調整用抵抗６５が生じる電圧降下とによって、所望の発光光量に減光し、設定される。
【０１３８】
結局、この場合には、合成抵抗値Ｒ＋Ｒ２の抵抗の電圧降下に相当する減光量になる。
【０１３９】
この実施例１では、この場合のシフト装置によって選択されている１つのシフトポジションＮに対応する前記表示部照明用ＬＥＤ４４ｃによって透過照明される前記インジケータ表示部４７の表示部４７ｃの外部から視認される明るさを、「中ｂ」の明るさの状態と称することにする。
【０１４０】
この明るさ「中ｂ」は、合成抵抗値Ｒ＋Ｒ２の電圧降下によって減光された明るさである。
【０１４１】
また、シフト装置によって選択されていない他の５つのシフトポジションのＰ，Ｒ，Ｄ，３，１に対応する前記表示部照明用ＬＥＤ４４ａ、４４ｂ、４４ｄ〜４４ｆの回路を説明する。
【０１４２】
この場合、前記ＩＬＬｏｒＩＧＮ制御用端子６４に印可された電位Ｖによって、電流が、この前記ＩＬＬｏｒＩＧＮ制御用端子６４から、抵抗値Ｒ１の複数の前記各光量調整用抵抗６２ａ、６２ｂ、６２ｄ〜６２ｆと、複数の前記各ダイオード６３ａ、６３ｂ、６３ｄ〜６３ｆと、前記各インジケータ発光部４４の表示部照明用ＬＥＤ４４ａ、４４ｂ、４４ｄ〜４４ｆへと導通される。
【０１４３】
この内の１つのインジケータ発光部４４の表示部照明用ＬＥＤ４４ｂは、抵抗値ｒの前記光量微調整用抵抗６０を介して抵抗値Ｒの前記光量調整用抵抗５９に接続されて、他の前記各インジケータ発光部４４の表示部照明用ＬＥＤ４４ａ、４４ｄ〜４４ｆは直接に、抵抗値Ｒの前記光量調整用抵抗５９及び、抵抗値Ｒ２の前記光量調整用抵抗６５とを介して、前記電位０のグランド５４に導通される。
【０１４４】
この場合の前記インジケータ発光部４４の表示部照明用ＬＥＤ４４ａ、４４ｄ〜４４ｆの発光光量は、抵抗値Ｒ１の前記光量調整用抵抗６２ａ、６２ｄ〜６２ｆが生じる電圧降下と、抵抗値Ｒの前記光量調整用抵抗５９が生じる電圧降下と、抵抗値Ｒ２の前記光量調整用抵抗６５が生じる電圧降下とによって減光されるように構成されている。
【０１４５】
また、前記表示部照明用ＬＥＤ４４ｂの発光光量は、抵抗値Ｒ１の前記光量調整用抵抗６２ｂが生じる電圧降下と、抵抗値ｒの前記光量微調整用抵抗６０が生じる電圧降下と、抵抗値Ｒの前記光量調整用抵抗５９が生じる電圧降下と、抵抗値Ｒ２の前記光量調整用抵抗６５が生じる電圧降下とによって減光されるように構成されている。
【０１４６】
この場合の前記表示部照明用ＬＥＤ４４ａ、４４ｂ、４４ｄ〜４４ｆの発光光量は、シフト装置によって選択されている前記表示部照明用ＬＥＤ４４ｃに比べて、抵抗値Ｒ１の前記光量調整用抵抗６２ａ、６２ｂ、６２ｄ〜６２ｆが生じる電圧降下に相当する分だけ更に減光されるように構成されている。
【０１４７】
結局、この場合には、合成抵抗値Ｒ＋Ｒ１＋Ｒ２の抵抗の電圧降下に相当する減光量になる。
【０１４８】
この実施例１では、この場合のシフト装置によって選択されていないシフトポジションに対応する前記表示部照明用ＬＥＤ４４ａ、４４ｂ、４４ｄ〜４４ｆによって透過照明される前記インジケータ表示部４７の表示部４７ａ、４７ｂ、４７ｄ〜４７ｆの外部から視認される明るさを、「弱」の明るさの状態と称することにする。
【０１４９】
この明るさ「弱」は、合成抵抗値Ｒ＋Ｒ１＋Ｒ２の電圧降下によって減光された明るさである。
更に、前記ＩＬＬｏｒＩＧＮスイッチ部５１がＯＦＦの状態ついて説明する。
【０１５０】
前記ＩＬＬｏｒＩＧＮスイッチ部５１がＯＦＦの状態の場合には、前記ＩＬＬｏｒＩＧＮ制御用端子６４の電位と、これに連動して電源供給端子５３の電位とは、何れも０になり、前記表示部照明用ＬＥＤ４４ａ〜４４ｆには、電流が導通されないために、全てのこの表示部照明用ＬＥＤ４４ａ〜４４ｆは、消灯状態になるように構成されている。
【０１５１】
また、シフト装置によって選択されているシフトポジションに対応する前記シフトインジケータ表示装置３６のポジションランプの発光光量「中ｂ」の方が、シフト装置によって選択されていないシフトポジションに対応する前記シフトインジケータ表示装置３６のポジションランプの発光光量「弱」より明るいために、シフト装置によって選択されているシフトポジションが視認できる。
【０１５２】
更に、前記光量調整用抵抗６５の抵抗値Ｒ２を設定することにより、前記インジケータ表示部４７の「弱」の明るさを、例えば、夜間において、前記メータ装置３３のイルミネーションが点灯していないときの前記メータ表示面３７の明るさと略同一に設定される。
【０１５３】
従って、この実施例１では、前記バックグラウンド照明回路部によって点灯されるポジションランプの表示面側から視認される光量と、前記メータ装置のメータ表示面の表側から視認されるメータ装置内光源の光量とを略同一光量とするように、前記光量調整用抵抗６５の抵抗値Ｒ２は設定されている。
【０１５４】
ところで、光量は「強」の状態より「中ａ」の状態の方が減光されて暗く、「中ｂ」の状態より「弱」の状態の方が減光されて暗いが、「中ａ」と「中ｂ」の光量の強弱は、前記光量調整用抵抗６２ａ〜６２ｆの抵抗値Ｒ１と、前記光量調整用抵抗６５の抵抗値Ｒ２の大小関係によって設定される。
【０１５５】
ここで、以上の結果を図４に示す。
【０１５６】
ところで、シフト装置によって選択されたシフトポジションに対応する前記インジケータ表示部４７の発光光量と、シフト装置によって選択されないシフトポジションに対応する前記インジケータ表示部４７の発光光量の光量差は、Ｒ１の抵抗値によって設定する。
【０１５７】
また、昼間に対応する前記インジケータ表示部４７の発光光量と、夜間に対応する前記インジケータ表示部４７の発光光量の光量差は、Ｒ２の抵抗値によって設定される。
【０１５８】
そして、点灯している全ての前記インジケータ表示部４７の発光光量は、Ｒの抵抗値によって同時に設定される。
【０１５９】
ここで、前記光量調整用抵抗６２ａ〜６２ｆの抵抗値Ｒ１と、前記光量調整用抵抗６５の抵抗値Ｒ２とを同一値のＲ１＝Ｒ２＝Ｒｃとすることにより、この抵抗値Ｒｃの光量調整用抵抗６２ａ〜６２ｆの電圧降下値と、この抵抗値Ｒｃの光量調整用抵抗６５の電圧降下値とを同一値にすることにより、明るさ「中ａ」と明るさ「中ｂ」を同一の光量に設定される。
【０１６０】
この同一の光量に視認される光量を、「中」の明るさの状態と称している。
【０１６１】
ここで、Ｒ１＝Ｒ２＝Ｒｃとすることにより、明るさ「中ａ」と明るさ「中ｂ」を同一の光量に設定した際の結果を図５に示す。
【０１６２】
従って、この実施例１のバックグラウンド照明回路部では、イルミネーション点灯時にシフト装置によって選択されている１つのシフトポジションに対応する前記シフトインジケータ表示装置の表示面の明るさが、メータ装置のイルミネーション非点灯時にシフト装置によって選択されていないシフトポジションに対応する前記シフトインジケータ表示装置の表示面の明るさと略同一光量となるように設定されている。
【０１６３】
次に、実施例１の作用について図１と図４及び図５に基づいて説明する。
【０１６４】
例えば、この実施例１では、図５に示すように、昼間において、前記メータ装置３３のイルミネーションが非点灯時の際は、シフト装置によって選択されていないシフトインジケータに対応する前記インジケータ表示部４７の明るさである「中」と、前記メータ表示面３７のアナログ表示部４６の明るさとを略同一に設定する。
【０１６５】
このため、シフト装置によって選択されていないシフトインジケータに対応する前記インジケータ表示部４７は、前記メータ表示面３７の中で、アナログ表示部４６と略同一光量の明るさで、乗員は違和感なく視認できる。
【０１６６】
また、シフト装置によって選択されているシフトインジケータに対応する前記インジケータ表示部４７の視認される明るさは「強」であるために、「中」の明るさとの光量差によって、シフト装置によって選択されているシフトポジションを確認することが可能になる。
【０１６７】
一方、この際、夜間において、前記メータ装置３３のイルミネーションが点灯時の際は、シフト装置によって選択されていないシフトインジケータに対応する前記インジケータ表示部４７の視認される明るさである「弱」と、前記メータ表示面３７のアナログ表示部４６の視認される明るさとを略同一に設定する。
【０１６８】
このため、シフト装置によって選択されていないシフトインジケータに対応する前記インジケータ表示部４７は、前記メータ表示面３７の中で、アナログ表示部４６と略同一光量の明るさで、乗員は違和感なく視認できる。
【０１６９】
また、シフト装置によって選択されているシフトインジケータに対応する前記インジケータ表示部４７の視認される明るさは「中」であるために、「弱」の明るさとの光量差によって、シフト装置によって選択されているシフトポジションを確認することが可能になる。
【０１７０】
この際、夜間であるから、乗員のいる車両の中は暗い状態にあるので、シフト装置によって選択されているシフトインジケータに対応する前記インジケータ表示部４７の視認される明るさは、「強」では明るすぎるため、「中」の光量に設定する。
【０１７１】
このように、車両のシフト装置によって選択されている、何れか１つのシフトポジションに対応するポジションランプを点灯させる前記インジケータ切換回路部４８により、このポジションランプがバックグラウンド照明と異なる光量で発光する。
【０１７２】
このため、シフト装置によって選択されているシフトポジションを前記シフトインジケータ表示装置３６のポジションランプの異なる光量の発光によって、視認することができる。
【０１７３】
従って、従来のような導光部材が不要となり、部品点数を削減することができる。
【０１７４】
また、以上の全ての場合の前記インジケータ表示部４７の明るさが、前記ＬＥＤ点灯回路部５０の光量調整用抵抗５９の抵抗値Ｒを設定することで設定できるので、シフト装置によって選択されていないシフトポジションに対応する前記インジケータ表示部４７の明るさを所望の光量に設定し、バックグラウンド照明に用いることが出来る。
【０１７５】
このため、メータ装置の光源等から、従来のように導光部材等を用いて導光しなくても、シフトインジケータ表示装置の表示面を裏面から常時透過照明することができる。
【０１７６】
更に、図１に示される前記減光発光回路部５７の光量調整用抵抗６２ａ〜６２ｆの各抵抗値Ｒ１と、前記光量調整回路部５８の光量調整用抵抗６５の抵抗値Ｒ２とを同一値にすることで、前記メータ装置３３のイルミネーション点灯時にシフト装置によって選択されている１つのシフトポジションに対応する前記インジケータ表示部４７の明るさを得る回路部分と、前記メータ装置３３のイルミネーション非点灯時にシフト装置によって選択されていないシフトポジションに対応する前記インジケータ表示部４７の明るさを得る回路部分とを同一回路の前記バックグラウンド照明回路部４９で構成出来る。
【０１７７】
このため、共通の回路部分を、複数の回路を用いる事無く構成出来るため、回路構成を簡素化出来る。
【０１７８】
例えば、昼間に、点灯されるポジションランプの表示面側から視認される光量を２段階に設定すると共に、夜間に必要とされるポジションランプの表示面側から視認される光量を２段階に設定しても、中間の光量を共通とすることにより、３段階の光量設定で、車外の外光量に適した明るさを得ることができる。
【０１７９】
また、前記ＬＥＤ点灯回路部５０の前記光量調整用抵抗５９及び、前記光量微調整用抵抗６０の各抵抗値の設定によって、バックグラウンド照明の表示部照明用ＬＥＤ４４ａ〜４４ｆの光量を、所望の光量に調整し、設定することが可能なので、前記コンビネーションメータ３１の文字盤３２のメータ表示面３７が有するアナログ表示部４６の前面から視認される光量と、このメータ表示面３７が有するインジケータ表示部４７の表示部４７ａ〜４７ｆの光量とが、略同一光量として視認できる。
【０１８０】
この抵抗を用いたアナログ電子回路減光手段によって、前記ポジションランプの表示面側から視認される光量が、所望の光量に減光される。このため、点灯されるポジションランプの表示面側から視認される光量の調整が、抵抗の抵抗値の調整によって容易に実現できる。
【０１８１】
更に、このため、前記メータ装置３３のメータ表示面３７と、前記シフトインジケータ表示装置３６の表示面とを隣設配置しても、光量を近似させて違和感なく照明させることができる。
【０１８２】
従って、前記メータ装置３３のメータ表示面３７内に、前記シフトインジケータ表示装置３６の表示面を設ける等、前記メータ装置３３のレイアウトの自由度を向上させることが出来る。
【実施例２】
【０１８３】
次に、実施例２のメータ内インジケータ照明装置の構成を図６乃至図８に基づいて説明する。
【０１８４】
まず、このメータ内インジケータ照明装置等の構成について、前記実施例１と異なる部分を中心として説明する。
【０１８５】
なお、前記実施例１と同一乃至均等な部分については、同一符号を付して説明する。
【０１８６】
この実施例２では、図２に示す実施例１の前記メータ表示面３７と略同様のメータ表示面に、選択されているシフトポジションを表示するための前記インジケータ表示部４７と略同様の表示面としてのインジケータ表示部が、前記メータ表示面内に隣接させて配置されている。
【０１８７】
そして、前記インジケータ表示部には、７つのシフトポジションに対応して図示省略のＰ、Ｒ、Ｎ、Ｄ、４、３、Ｌの文字が印刷された複数の表示部が設けられている。
【０１８８】
また、前記複数の各表示部は、図６に示されるインジケータ用ＬＥＤ制御回路１４５に設けられたインジケータ発光部１４４のポジションランプとしての各表示部照明用ＬＥＤ１４４ａ〜１４４ｇによって、裏面から各々透過照明されるように構成されている。
【０１８９】
更に、図６に示されるように、ＬＥＤ点灯回路部１５０に設けられた前記複数の表示部照明用ＬＥＤ１４４ａ〜１４４ｇには、選択照明回路としてのインジケータ切換回路部１４８等が接続されている。このインジケータ切換回路部１４８は、シフト装置によって選択されている１つのシフトポジションに対応する何れか１つの前記表示部照明用ＬＥＤ１４４ａ〜１４４ｇに接続されるように構成されている。
【０１９０】
そして、前記インジケータ切換回路部１４８には、７つのシフトポジションＰ、Ｒ、Ｎ、Ｄ、４，３、Ｌの内、シフト装置によって選択されているシフトポジションに対応して切り替わるインジケータ切換スイッチ１５５等が設けられて構成されている。
【０１９１】
また、図６に示される電源供給端子１５３は、前記インジケータ切換スイッチ１５５の可動接点１５５ｉと接続され、この可動接点１５５ｉは、シフト装置によって選択されているポジションに対応して接続される複数の切換接点１５５ａ〜１５５ｇの内、何れか１つと接続されている。
【０１９２】
更に、前記複数の各切換接点１５５ａ〜１５５ｇは、図６に示される逆電流防止のために設けられた複数の各ダイオード１５６ａ〜１５６ｇを介して、前記複数の各表示部照明用ＬＥＤ１４４ａ〜１４４ｇと接続されている。
【０１９３】
このため、前記電源供給端子１５３から、シフト装置によって選択されている１つのシフトポジションに対応する何れか１つの前記表示部照明用ＬＥＤ１４４ａ〜１４４ｇに電流が導通されて、前記何れか１つの表示部照明用ＬＥＤ１４４ａ〜１４４ｇが点灯されるように構成されている。
【０１９４】
そして、前記ＬＥＤ点灯回路部１５０には、図６に示されるバックグラウンド照明回路部１４９が接続されている。このバックグラウンド照明回路部１４９は、主に、図６に示されるデジタル制御減光手段としての減光発光回路部１５７と、デジタル制御減光手段としての光量調整回路部１５８とを有して構成されている。
【０１９５】
このうち、前記減光発光回路部１５７には、トランジスタ１６０ａと、トランジスタ１６０ｂ等とが設けられて構成されている。
【０１９６】
そして、前記トランジスタ１６０ａのベースは、図６に示されるＩＬＬ−ＣＰＵ制御用端子１６５を介して、ＩＬＬ−ＣＰＵ制御部１５２の出力の１つに接続され、前記トランジスタ１６０ａのコレクタは、前記トランジスタ１６０ｂのベースに接続され、前記トランジスタ１６０ａのエミッタは、グランド１５４ｂに接続されている。
【０１９７】
また、前記トランジスタ１６０ｂのエミッタは、図６に示されるＩＬＬｏｒＩＧＮ制御用端子１６４を介して、ＩＬＬｏｒＩＧＮスイッチ部１５１に接続され、前記トランジスタ１６０ｂのコレクタは、図６に示される逆電流を防止するための各ダイオード１６３ａ〜１６３ｇの全てとに接続され、この各ダイオード１６３ａ〜１６３ｇは、前記インジケータ発光部１４４の各表示部照明用ＬＥＤ１４４ａ〜１４４ｇとに接続されている。
【０１９８】
このため、前記ＩＬＬｏｒＩＧＮスイッチ部１５１がＯＮの状態の際に、前記ＩＬＬ−ＣＰＵ制御部１５２のＩＬＬ−ＣＰＵ制御用端子１６５に接続される出力の電位が、低電位又は高電位に切り替わるのに対応して、前記トランジスタ１６０ｂのコレクタ−エミッタ間の電圧降下が高電圧又は低電圧に切り替わるように構成されている。
【０１９９】
更に、前記ＩＬＬ−ＣＰＵ制御部１５２のＩＬＬ−ＣＰＵ制御用端子１６５に接続される出力の電位が、低電位又は高電位になるのに対応して、前記各ダイオード１６３ａ〜１６３ｇを介して前記トランジスタ１６０ｂと直列に接続された全ての前記各表示部照明用ＬＥＤ１４４ａ〜１４４ｇの両端電圧が低電圧又は高電圧に切り替わるため、全ての前記表示部照明用ＬＥＤ１４４ａ〜１４４ｇの減光量が同時に切り替わるように構成されている。
【０２００】
従って、前記ＩＬＬｏｒＩＧＮスイッチ部１５１がＯＮの状態の際には、前記減光発光回路部１５７によって、全ての前記表示部照明用ＬＥＤ１４４ａ〜１４４ｇが減光されて同時に発光するように構成されている。
【０２０１】
また、前記バックグラウンド照明回路部１４９の前記光量調整回路部１５８には、トランジスタ１６６等が設けられて、このトランジスタ１６６のベースは、図６に示されるＩＬＬ−ＣＰＵ制御用端子１６７を介して、ＩＬＬ−ＣＰＵ制御部１５２の出力の１つに接続され、前記トランジスタ１６６のコレクタは、各光量調整用抵抗１５９ａ〜１５９ｇの全てとに接続される。
【０２０２】
更に、前記トランジスタ１６６のコレクタは、光量調整用抵抗１６８を介して、図６に示されるグランド１５４ｃと接続されている。
【０２０３】
そして、前記各光量調整用抵抗１５９ａ〜１５９ｇは、前記各表示部照明用ＬＥＤ１４４ａ〜１４４ｇと接続され、前記トランジスタ１６６のエミッタは、図６に示されるグランド１５４ａと接続されている。
【０２０４】
このため、前記ＩＬＬｏｒＩＧＮスイッチ部１５１がＯＮの状態の際に、前記ＩＬＬ−ＣＰＵ制御部１５２のＩＬＬ−ＣＰＵ制御用端子１６７に接続される出力の電位が、低電位又は高電位になるのに対応して、前記トランジスタ１６６のコレクタ−エミッタ間の電圧降下が高電圧又は低電圧に切り替わるように構成されている。
【０２０５】
更に、前記ＩＬＬ−ＣＰＵ制御部１５２のＩＬＬ−ＣＰＵ制御用端子１６７に接続される出力の電位が、低電位又は高電位に切り替わるのに対応して、前記各光量調整用抵抗１５９ａ〜１５９ｇを介して前記トランジスタ１６６と直列に接続された全ての前記各表示部照明用ＬＥＤ１４４ａ〜１４４ｇの両端電圧が低電圧又は高電圧に切り替わるため、全ての前記表示部照明用ＬＥＤ１４４ａ〜１４４ｇの減光量が同時に切り替わるように構成されている。
【０２０６】
従って、前記ＩＬＬｏｒＩＧＮスイッチ部１５１がＯＮの状態の際には、前記光量調整回路部１５８によって、全ての前記表示部照明用ＬＥＤ１４４ａ〜１４４ｇが減光されて同時に発光するように構成されている。
【０２０７】
次に、実施例２の作用について図６乃至図８に基づいて説明する。
【０２０８】
なお、以下の具体例では、シフト装置によって選択されているシフトポジションが、Ｎのシフトポジションであるとして説明するが、他のＰ、Ｒ、Ｄ、４、３、Ｌのシフトポジションの内何れか１つがシフト装置によって選択されている場合も略同様に説明される。
【０２０９】
まず、前記ＩＬＬｏｒＩＧＮスイッチ部１５１がＯＮの状態で、かつ、前記ＩＬＬ−ＣＰＵ制御部１５２の２つの出力の電位が高電位又は低電位の状態について場合分けして説明する。
【０２１０】
前記ＩＬＬｏｒＩＧＮスイッチ部１５１がＯＮの状態の際、昼間において、前記メータ装置３３のイルミネーションが非点灯である場合は、前記ＩＬＬ−ＣＰＵ制御部１５２の２つの出力の電位が各々高電位となる。
【０２１１】
この昼間の場合には、シフト装置によって選択されているシフトポジションＮに対応する前記表示部照明用ＬＥＤ１４４ｃと直列に接続される前記トランジスタ１６６の電圧降下によって、前記表示部照明用ＬＥＤ１４４ｃは減光されて発光する。
【０２１２】
この際、シフトポジションＮに対応する前記インジケータ表示部４７の、乗員が視認する明るさが所望の明るさになるように、前記トランジスタ１６６の電圧降下の電圧値を設定する。この明るさが前記「強」の明るさとなる。
【０２１３】
また、この昼間の場合に、シフト装置によって選択されていないシフトポジションＰ、Ｒ、Ｄ、４，３、Ｌに対応する前記複数の各表示部照明用ＬＥＤ１４４ａ、１４４ｂ、１４４ｄ〜１４４ｇと直列に接続される前記トランジスタ１６０ｂと、前記トランジスタ１６６との電圧降下の和によって、前記複数の各表示部照明用ＬＥＤ１４４ａ、１４４ｂ、１４４ｄ〜１４４ｇは減光されて発光する。
【０２１４】
この際、シフトポジションＮに対応する前記インジケータ表示部４７と比較して、シフトポジションＰ、Ｒ、Ｄ、４，３、Ｌに対応する前記インジケータ表示部４７は、更に減光されて発光する。このシフトポジションＰ、Ｒ、Ｄ、４，３、Ｌに対応する前記インジケータ表示部の乗員が視認する明るさが、前記「中ａ」の明るさとなる。
【０２１５】
また、この際、シフト装置によって選択されているシフトポジションに対応する前記シフトインジケータ表示装置３６のポジションランプの発光光量の方が、シフト装置によって選択されていないシフトポジションに対応する前記シフトインジケータ表示装置３６のポジションランプの発光光量より明るいために、シフト装置によって選択されているシフトポジションが視認できる。
【０２１６】
次に、夜間において、前記メータ装置３３のイルミネーションが点灯している場合は、前記ＩＬＬ−ＣＰＵ制御部１５２の２つの出力の電位が各々低電位となる。
【０２１７】
この夜間の場合には、シフト装置によって選択されているシフトポジションＮに対応する前記表示部照明用ＬＥＤ１４４ｃと直列に接続される前記トランジスタ１６６の電圧降下によって、前記表示部照明用ＬＥＤ１４４ｃは、減光されて発光する。
【０２１８】
この際、シフトポジションＮに対応する前記インジケータ表示部４７の、乗員が視認する明るさが所望の明るさになるように、前記トランジスタ１６６の電圧降下の電圧値を設定する。この明るさが前記「中ｂ」の明るさとなる。
【０２１９】
また、この夜間の場合は、乗員のいる車両の中は暗い状態にあるので、シフト装置によって選択されているシフトインジケータに対応する前記インジケータ表示部４７の視認される明るさは、「強」では明るすぎるため、「強」より暗い「中ｂ」の光量に設定される。
【０２２０】
更に、この夜間の場合に、シフト装置によって選択されていない各シフトポジションＰ、Ｒ、Ｄ、４，３、Ｌに対応する前記複数の各表示部照明用ＬＥＤ１４４ａ、１４４ｂ、１４４ｄ〜１４４ｇと直列に接続される前記トランジスタ１６０ｂと、前記トランジスタ１６６との電圧降下の和により、前記複数の各表示部照明用ＬＥＤ１４４ａ、１４４ｂ、１４４ｄ〜１４４ｇは減光されて発光する。
【０２２１】
この際、シフトポジションＮに対応する前記インジケータ表示部４７と比較して、シフトポジションＰ、Ｒ、Ｄ、４，３、Ｌに対応する前記インジケータ表示部４７は、更に減光されて発光する。このシフトポジションＰ、Ｒ、Ｄ、４，３、Ｌに対応する前記インジケータ表示部４７の、乗員が視認する明るさが、前記「弱」の明るさとなる。
【０２２２】
また、この夜間の場合に、シフト装置によって選択されているシフトポジションに対応する前記シフトインジケータ表示装置３６のポジションランプの発光光量の方が、シフト装置によって選択されていないシフトポジションに対応する前記シフトインジケータ表示装置３６のポジションランプの発光光量より明るいために、シフト装置によって選択されているシフトポジションが視認できる。
【０２２３】
更に、この実施例２では、昼間における前記コンビネーションメータのイルミネーションの明るさよりも、夜間における前記コンビネーションメータのイルミネーションの明るさの方が暗いことに対応させて、「中ａ」よりも「弱」の方が減光される。
【０２２４】
次に、前記ＩＬＬｏｒＩＧＮスイッチ部１５１がＯＦＦの状態の際には、前記電源供給端子１５３及び前記ＩＬＬｏｒＩＧＮ制御用端子１６４の電位が０となり、前記ＬＥＤ点灯回路部１５０に電流が供給されないため、前記表示部照明用ＬＥＤ１４４ａ〜１４４ｇは発光せずに消灯状態になる。
【０２２５】
ここで、前記ＩＬＬ−ＣＰＵ制御部１５２の２つの出力の電位について、例えば、前記ＩＬＬ−ＣＰＵ制御用端子１６７に接続されるＩＬＬ−ＣＰＵ制御部１５２の出力の電位は、電位Ｖの際は高電位であるとし、電位０の際は低電位であるとする。
【０２２６】
また、例えば、前記ＩＬＬ−ＣＰＵ制御用端子１６５に接続されるＩＬＬ−ＣＰＵ制御部１５２の出力の電位は、ＰＷＭ（パルス幅変調）によるＤＵＴＹ制御によって制御される。
【０２２７】
そして、前記メータ装置３３のイルミネーションが点灯している場合は、このＰＷＭがＯＮの状態になる。
【０２２８】
このＩＬＬ−ＣＰＵ制御用端子１６５に接続されるＩＬＬ−ＣＰＵ制御部１５２の出力の電位の実効値が、ＤＵＴＹ比が中の際は高電位であるとし、ＤＵＴＹ比が小の際は低電位であるとする。
【０２２９】
ここまでの結果を図７に示す。
【０２３０】
更に、この実施例２では、前記トランジスタ１６０ｂのコレクタ−エミッタ間の電圧降下と、前記トランジスタ１６６のコレクタ−エミッタ間の電圧降下とを所望の電圧に設定して、前記明るさ「中ａ」と前記明るさ「中ｂ」とが同一となるようにする。この「中ａ」と「中ｂ」が同一の明るさであるため、この明るさを「中」と称することにする。
【０２３１】
この結果を図８に示す。
【０２３２】
この実施例２では、前記バックグラウンド照明回路部１４９のトランジスタ回路を用いて減光するデジタル制御減光手段によって、前記ポジションランプの表示面側から視認される光量が減光される。
【０２３３】
このため、点灯されるポジションランプの表示面側から視認される光量の調整が、電子制御、特にＣＰＵ制御によるデューティ制御等によって容易に実現できる。
【０２３４】
また、この実施例２では、前記メータ装置３３のイルミネーションの自動調整機能又は、手動調整機能によって、このイルミネーションの明るさが、自動又は、手動で調整される際に、例えば、ＣＰＵ制御によるデューティ制御等によって、前記ＩＬＬ−ＣＰＵ制御部１５２の２つの出力の電位が制御されて、前記ポジションランプの表示面側から視認される光量を、前記イルミネーションの明るさの変化に合わせて変化するようにしても良い。
【０２３５】
なお、他の構成及び作用効果については、前記実施例１と略同様であるので説明を省略する。
【０２３６】
以上、図面を参照して、本発明の最良の実施の形態を詳述してきたが、具体的な構成は、この実施の形態に限らず、本発明の要旨を逸脱しない程度の設計的変更は、本発明に含まれる。
【０２３７】
例えば、前記実施例１では、図２に示されるように、上方に前記アナログ表示部４６と、下方に前記インジケータ表示部４７とが、前記同一メータ表示面３７内に隣接配置されているものを示して説明してきたが、特にこれに限らず、前記シフトインジケータ表示装置３６のインジケータ表示部４７が、メータ装置のメータ表示面の左，右若しくは上，下に隣接配置されているもの等、前記コンビネーションメータ３１内の文字盤３２に設けられていて、メータ表示面に隣接配置又は近接配置されるメータ内インジケータ照明装置であれば、形状，数量及び材質が特に限定されるものではない。
【０２３８】
そして、例えば、前記実施例１及び前記実施例２では、シフト装置によって選択されたシフトポジションに対応する前記インジケータ表示部４７の発光光量が、シフト装置によって選択されていないシフトポジションに対応する前記インジケータ表示部４７の発光光量より、明るくなるように構成されているが、光量差があれば、乗員には、視認可能となるので、シフト装置によって選択されたシフトポジションに対応する前記インジケータ表示部４７の発光光量の方が暗くても良く、異なる光量で点灯させるものであれば良い。
【０２３９】
更に、例えば、前記実施例１及び前記実施例２では、前記シフトインジケータ表示装置３６のインジケータ表示部４７の明るさを「強」、「中」、「弱」の３段階に限定したが、シフト装置によって選択されたシフトポジションに対応する前記インジケータ表示部４７の発光光量が、シフト装置によって選択されていないシフトポジションに対応する前記インジケータ表示部４７の発光光量と異なれば良く、乗員には視認可能となるので、前記シフトインジケータ表示装置３６のインジケータ表示部４７の明るさを２段階にすることも可能であり、４段階以上の多段階に光量調整されても良い。
【０２４０】
この場合、例えば、前記実施例２の回路構成を用いて、デューティ制御を行えば、各段における光量の強弱を無段階に可変させて設定可能である。
【図面の簡単な説明】
【０２４１】
【図１】この発明の最良の実施の形態の実施例１で、メータ内インジケータ照明装置に用いるインジケータ用ＬＥＤ制御回路の回路図である。
【図２】この発明の実施例１のメータ内インジケータ照明装置で、コンビネーションメータの要部の構成を説明する正面図である。
【図３】この発明の実施例１のメータ内インジケータ照明装置で、図２中Ｂ−Ｂ線に沿った部分での断面図である。
【図４】この発明の実施例１のメータ内インジケータ照明装置で、切り換えの組み合わせを示す表図である。
【図５】この発明の実施例１のメータ内インジケータ照明装置で、切り換えの組み合わせを示す表図である。
【図６】この発明の実施例２で、メータ内インジケータ照明装置に用いるインジケータ用ＬＥＤ制御回路の回路図である。
【図７】この発明の実施例２のメータ内インジケータ照明装置で、切り換えの組み合わせを示す表図である。
【図８】この発明の実施例２のメータ内インジケータ照明装置で、切り換えの組み合わせを示す表図である。
【図９】一従来例で、コンビネーションメータの要部の構成を説明する正面図である。
【図１０】一従来例で、コンビネーションメータで、図９中Ａ−Ａ線に沿った部分での断面図である。
【符号の説明】
【０２４２】
３１                    コンビネーションメータ
３３                    メータ装置
３６                    シフトインジケータ表示装置
３７                    メータ表示面
４４ａ〜４４ｆ          表示部照明用ＬＥＤ（ポジションランプ）
４７                    インジケータ表示部（表示面）
４８                    インジケータ切換回路部（選択照明回路）
４９                    バックグラウンド照明回路部
５７                    減光発光回路部（アナログ電子回路減光手段）
５８                    光量調整回路部（アナログ電子回路減光手段）
１４４ａ〜１４４ｇ      表示部照明用ＬＥＤ（ポジションランプ）
１４８                  インジケータ切換回路部(選択照明回路)
１４９                  バックグラウンド照明回路部
１５７                  減光発光回路部（デジタル制御減光手段）
１５８                  光量調整回路部（デジタル制御減光手段）
【図１】
2006347228.tif 000003
【図２】
2006347228.tif 000004
【図３】
2006347228.tif 000005
【図４】
2006347228.tif 000006
【図５】
2006347228.tif 000007
【図６】
2006347228.tif 000008
【図７】
2006347228.tif 000009
【図８】
2006347228.tif 000010
【図９】
2006347228.tif 000011
【図１０】
2006347228.tif 000012